(57)【要約】【課題】穴あけ加工を減らし、必要でないコストを低減させ、不具合の原因の一つである小動物の侵入という項目の割合を減少する工具を得ることを目的とする。【解決手段】配電盤１を固定するベース部材２に対して所望の位置に係脱可能に固定し得るフレーム部材１１と、上記配電盤の側面部または背面部に予め設けられた固定穴１ａに対して係合し得る係合体１２ａを有する移動駒１２と、この移動駒と上記フレーム部材に跨るように介在された、上記移動駒及び上記フレーム部材を含む構成部材の一つに対して回動可能に軸支された回動レバー１３及びこの回動レバーの所定部に回動可能に軸支され該回動レバーの回転運動を上記移動駒の直線運動に変換するリンク部材１４からなる駆動部材と、を備えたものである。【選択図】図１
2012178901.tif 000002
【特許請求の範囲】
【請求項１】
配電盤を固定するベース部材に対して係脱可能に固定し得るフレーム部材と、上記配電盤の側面部または背面部に予め設けられた固定穴に対して係合し得る係合体を有する移動駒と、この移動駒と上記フレーム部材に跨るように介在された、上記移動駒及び上記フレーム部材を含む構成部材の一つに対して回動可能に軸支された回動レバー及びこの回動レバーの所定部に回動可能に軸支され該回動レバーの回転運動を上記移動駒の直線運動に変換するリンク部材からなる駆動部材と、を備えたことを特徴とする配電盤の据付装置。
【請求項２】
上記フレーム部材は、上記係止部に対する係止具を挿通するための複数の長穴が所定間隔で列設されたものであることを特徴とする請求項１記載の配電盤の据付装置。
【請求項３】
上記回動レバーの一端部が上記移動駒に対して軸支されてなり、上記リンク部材は一端部が上記フレーム部材に軸支され、他端部が上記フレーム部材に回動可能に支持されていることを特徴とする請求項１または請求項２記載の配電盤の据付装置。
【請求項４】
上記回動レバーの一端部が上記フレーム部材に回動可能に軸支されてなり、上記リンク部材は一端部が上記移動駒に軸支され、他端部が上記フレーム部材に対して軸支されていることを特徴とする請求項１または請求項２記載の配電盤の据付装置。
【発明の詳細な説明】
【技術分野】
【０００１】
本発明は配電盤をチャンネルベースなどのベース部材に据付固定する際に、配電盤を容易に移動させることができる配電盤の据付装置に関するものである。
【背景技術】
【０００２】
従来の配電盤の据付装置として、ベースチャンネル（チャンネルベース）と配電盤に穴をあけて、その穴を利用して正面及び背面のどちらか一方に配電盤の幅方向にガイドレールを設けて、他方にガイドレールと結合するローラを設ける。いずれか一方のフレームを上下調整可能とし、配電盤とベースチャンネルの間に隙間を作り配電盤を左右方向に移動可能とし所定の位置で上下調整をすることによって据付を行うようにしたものがある（例えば特許文献１参照）。
【先行技術文献】
【特許文献】
【０００３】
【特許文献１】実開昭６３−１６４３０３号公報（第３〜４頁、第１図）
【発明の概要】
【発明が解決しようとする課題】
【０００４】
特許文献１に示すように配電盤を移動させるためには、本来配電盤に必要としない穴あけ加工を追加する必要がある。そのため、ガイドレールを取り外した後、その穴を塞ぐコストがかかり、塞ぎ忘れがあった場合や、塞がなければ配電盤の中に小動物が侵入する恐れがあり、不具合の原因にも繋がる。更に、盤幅に対して取り付けるため、配電盤の幅がまちまちだとガイドレールとして複数の種類が必要となる。盤の数が多いとガイドレールを固定するボルトの取り付け取り外しの数が多くなり、配電盤の数や配電盤の幅が広くなるにつれて作業時間がそれに比例してかかるという問題があった。
【０００５】
この発明は、上記のような問題点を解消するためになされたものであり、穴あけ加工を減らしてコストを低減させ、不具合の原因の一つである小動物の侵入を減らすことのできる配電盤の据付装置を得ることを目的としている。
【課題を解決するための手段】
【０００６】
この発明に係る配電盤の据付装置は、配電盤を固定するベース部材に対して係脱可能に固定し得るフレーム部材と、上記配電盤の側面部または背面部に予め設けられた固定穴に対して係合し得る係合体を有する移動駒と、この移動駒と上記フレーム部材に跨るように介在された、上記移動駒及び上記フレーム部材を含む構成部材の一つに対して回動可能に軸支された回動レバー及びこの回動レバーの所定部に回動可能に軸支され該回動レバーの回転運動を上記移動駒の直線運動に変換するリンク部材からなる駆動部材と、を備えたものである。
【発明の効果】
【０００７】
この発明においては、配電盤の側面部または背面部に予め設けられた固定穴に対して係合し得る係合体を有する移動駒を回動レバーにより移動させ配電盤を移動するようにしたので、据付固定のためだけの目的で穴あけ加工などの操作を行う必要がなくなる。このため、作業性が向上し、また、最終的に塞がれる既設の固定穴を利用するので、小動物が侵入する穴が残されることを防ぐことが容易となる。
【図面の簡単な説明】
【０００８】
【図１】この発明の実施の形態１に係る配電盤の据付装置を示す図であり、（ａ）は上面図、（ｂ）は側面図。
【図２】図１に示されたベース部材の係止部近傍の部分拡大図。
【図３】図１に示す据付装置の動作例を概念的に説明する図であり、（ａ）は動作前、（ｂ）は動作後の状態を示す。
【図４】この発明の実施の形態２に係る配電盤の据付装置を示す図であり、（ａ）は上面図、（ｂ）は側面図。
【発明を実施するための形態】
【０００９】
実施の形態１．
図１はこの発明の実施の形態１に係る配電盤の据付装置を示す図であり、（ａ）は上面図、（ｂ）は側面図である。図２は図１に示されたベース部材の係止部近傍の部分拡大図、図３は図１に示す据付装置の動作例を概念的に説明する図であり、（ａ）は動作前、（ｂ）は動作後の状態を示している。図において、配電盤の据付装置１０は、配電盤１を固定するためのベース部材２に設けられた係止部２１に対して所望の位置に係脱可能に固定し得るフレーム部材１１と、配電盤１の側面部の下部などに予め設けられた列盤する際の固定用のねじ穴等の固定穴１ａ（図３、位置のみ明示）に対して係合し得る係合体１２ａを有する移動駒１２と、この移動駒１２に軸１２１によって回動自在に軸支された回動レバー１３と、一端部がフレーム部材１１の一端部に設けられた軸１１１に軸支され、他端部が回動レバー１３における軸１２１による支持部の近傍に設けられた軸１３１に回動可能に軸支されたリンク部材１４を備えている。
【００１０】
ベース部材２はチャンネルベースあるいはベースチャンネルなどと呼称される型材からなり、配電盤１を設置する箇所の床面に予め固定されている。また、その長さは設置する配電盤１の数に応じた所定長に形成されている。配電盤１を固定するための上記係止部２１は、該ベース部材２の所定箇所に所要数設けられた、例えば図２に示すように、穴２１ａとその穴２１ａの背面側に溶接等で固着されたナット２１ｂから構成されている。フレーム部材１１は断面コ字状の型材からなり、ボルトなどの係止具を挿通するための複数の長穴１１ａが底辺部に長手方向に沿って所定間隔で設けられている。長穴１１ａが一定の間隔で明いていることにより、フレーム部材１１をベース部材２に固定するときの位置を調整することが可能である。
【００１１】
上記移動駒１２は、ここでは凡そ扇形状に形成された２枚の板材が平行に離間され、扇形の直線状の２辺をそれぞれ方形の２枚の板材で相互に連結した如き形状をなしている。係合体１２ａは外周面にねじ山（図示省略）が設けられており、上記方形の板材の内、図１の左側の板材の表面から突設されている。該係合体１２ａは、配電盤１を複数連結する目的で配電盤１の側面または背面下部に予め設けられている固定穴１ａに対して挿入し、図示省略しているナットで締結することで固定される。なお、係合体１２ａは、ねじ山を設けていない丸棒状のものでも良い。
【００１２】
回動レバー１３は、フレーム部材１１がベース部材２に固定され、移動駒１２が配電盤１の固定穴１ａに対して係合された状態で、図１（ｂ）の下方向に、図３（ａ）の矢印Ａで示すように回動される。このため、図１の右上部は把手として、好ましくは手で握りやすいように円筒状または丸棒状に形成される。リンク部材１４の一端部とフレーム部材１１の一端部との軸支部分は、貫通された通し穴に、ボルトなどの軸１１１を挿通させることにより回動自在に連結されている。同様に回動レバー１３とリンク部材１４の他端部との軸支部分も貫通された通し穴にボルトなどの軸１３１を挿通させることによって回動できるように連結される。なお、上記回動レバー１３、リンク部材１４、軸１１１、１２１、１３１によって配電盤１を移動させるための駆動部材を構成している。
【００１３】
次に、上記のように構成された実施の形態１の動作について図１〜図３を参照して説明する。なお、ベース部材２は配電盤１を設置する床面の所定位置に、少なくとも配電盤１の前面側（操作部側）の底部及び背面側の底部に位置するように設置され、配電盤１は予めそのベース部材２上に、例えばクレーン、ジャッキ、ころ等によって搬入、仮置きされているものとする。据付装置１０は、配電盤１同士の固定穴１ａに移動駒１２の係合体１２ａを差し込み、配電盤１の内部側を図示していないナットで締めて固定する。
【００１４】
次に、回動レバー１３を、図３（ａ）の矢印Ａの方向に押し下げるのに適した所望の角度、例えば４５°程度の適宜の角度となるようにフレーム部材１１の位置を図の左右方向に調整し、ベース部材２に設けられた複数の長穴１１ａの内、係止部２１に対応する長穴を利用して、該フレーム部材１１を図示していないボルトによってベース部材２に固定する。これを配電盤１の正面側と背面側の両方に設置する。設置が完了したら、例えば作業者二人で正面側と背面側の両方の回動レバー１３を同時に押し下げることにより、図３（ｂ）の矢印Ｂで示すように、配電盤１を図の左方向に移動させることが出来る。移動量は回動角度に応じた所望寸法にすることができる。
【００１５】
なお、上記移動作業の後、配電盤１が所定の位置に達しないときは、係止部２１のボルトを取り外し、フレーム部材１１の取付位置を図の左方向に適宜の位置にずらし、同様の操作を繰り返すことで所定の位置まで移動させることが出来る。移動後は、ベース部材２とフレーム部材１１を固定する図示していないボルト、及び移動駒１２を固定した図示していないナットを取り外すことにより据付装置１０を外すことが出来る。
【００１６】
なお、配電盤１を横方向に複数連結する場合は、次に設置する配電盤（図示省略）の仮置き、据付装置１０の取付け、回動レバー１３による配電盤の移動、及び据付装置１０の取外しの操作を同様に、順次繰り返せばよい。そして、各配電盤１の固定穴１ａを利用して隣接する配電盤の筐体相互をボルトで連結する。また、列盤するときの最後の配電盤については、据付装置１０を固定するためのベース部材２と同様の係止部２１を有する枠材（図示省略）を用意し、その枠材を床面あるいはベース部材２に対して固定して、同様の動作を行うことで、据付の目的だけで穴あけを行うなどの必要なく容易に据え付けることができる。
【００１７】
上記のように、実施の形態１によれば、配電盤１の側面部に予め設けられた既設の固定穴１ａに対して係合し得る係合体１２ａを有する移動駒１２を回動レバー１３により移動させ配電盤１を移動するようにしたので、移動が容易である。また、据付固定のためだけの目的で特殊な加工やガイドレールを固定させるための専用の穴あけ加工などの操作、及び余分にあけた穴に対するボルトの取り付け・取り外しの作業なども減らすことができる。このため、作業時間を大幅に短縮することが出来、作業性が向上する。
【００１８】
また、最終的に塞がれる既設の固定穴を利用するので、小動物が侵入するような穴が残されることを防ぐことが容易となる。また、必要以上のコストも掛からない。さらに配電盤の幅・奥行きや機種に関係なく使用することが出来る。また、移動駒１２の係合体１２ａは配電盤１の固定穴１ａに挿入され、締結されているので、作業中に据付装置１０の先端がすべり、作業者の体勢が崩れることも防止できる。
【００１９】
実施の形態２．
図４はこの発明の実施の形態２に係る配電盤の据付装置を示す図であり、（ａ）は上面図、（ｂ）は側面図である。図４において図１と同一の符号を付したものは同一またはそれに相当するものである。この実施の形態２では、据付装置１０Ａの回動レバー１３の先端部はフレーム部材１１の一端部の軸１１１に支承され、リンク部材１４Ａは、一端部が回動レバー１３に設けられた軸１３１に軸支され、他端部が移動駒１２に設けられた軸１２１に軸支されている。その他の構成は実施の形態１と同様であるので説明を省略する。
【００２０】
上記のように構成された実施の形態２においては、回動レバー１３を実施の形態１とは反対に、押し上げることによって配電盤を図の左方向に移動させるように動作する。その他の取付け方法、取外し方は実施の形態１と同様である。上記のように回動レバー１３を押し上げるように動作させる場合、回動レバー１３の軌跡が図１の左側（配電盤１の設置側）部分となるので、押下げる場合に比べて図の右側に必要なスペースが少なくて済むという特徴がある。
【００２１】
上記のように実施の形態２によれば、実施の形態１と同様の効果に加えて、配電盤１の側面方向のスペースが狭いという制限があるときに回動レバー１３を押し上げることによって動作前のスペースのみで設置することが可能であるという効果も得られる。なお、図４の据付装置１０Ａは、実施の形態１の図１に示す軸１１１、軸１２１、軸１３１を取外して各部材を分解し、リンク部材１４を図４に示す位置に変更して組立てられるようにし、必要に応じて図１のものと、図４のものを選択できるようにしても良い。
【００２２】
ところで、上記実施の形態１、及び２では、回動レバー１３の回転運動を移動駒１２の直線運動に変換するリンク部材１４、１４Ａを、単純な１部品で構成した場合について説明したが、リンク機構あるいは駆動部材の構成はこれに限定されるものではなく、複数のリンク部材などを用いて構成するようにしても良い。例えば、回動レバー１３は、他の部材を介して移動駒１２または回動レバー１３に軸支するようにしても良い。また、ベース部材２に対するフレーム部材１１の固定手法、配電盤１の固定穴１ａに対する移動駒１２の係止手法など適宜変形できることは言うまでもない。また、配電盤１を図の左方向に移動する場合について説明したが、右方向に移動し、あるいは前後方向に移動することもできる。
【符号の説明】
【００２３】
１  配電盤、  １ａ  固定穴、  ２  ベース部材、  ２１  係止部、  ２１ａ  穴、  ２１ｂ  ナット、  １０、１０Ａ  据付装置、  １１  フレーム部材、  １１ａ  長穴、  １１１  軸、  １２  移動駒、  １２ａ  係合体、  １２１  軸、  １３  回動レバー、  １３１  軸、  １４、１４Ａ  リンク部材。
【図１】
2012178901.tif 000003
【図２】
2012178901.tif 000004
【図３】
2012178901.tif 000005
【図４】
2012178901.tif 000006